(57)【特許請求の範囲】
【請求項１】
受信信号を受信する受信回路と、
前記受信信号を処理する通信制御回路とを備え、
前記通信制御回路は、ソフトウェアを実行するマイコンにより構成され、
前記受信回路は、前記マイコンとは別のハードウェアにより構成され、
前記受信回路は、
前記受信信号を復調データに復調する復調回路と、
前記復調データを解析して、前記受信信号に自分宛て信号が有るか無いかを検出する検出回路と、
前記検出回路が前記復調データを解析している間から前記復調データを保存するデータ保存回路とを有し、
前記自分宛て信号が有る場合、前記検出回路は、前記通信制御回路を起動させ、前記保存回路に保存された前記復調データを前記通信制御回路へ転送させ、
前記自分宛て信号が無い場合、前記検出回路は、前記通信制御回路を起動させないことを特徴とする無線装置。
【請求項２】
前記受信回路は、前記検出回路の検出結果を保存する検出結果保存回路を更に有し、
前記検出回路によりスタンバイ状態から起動させられた前記通信制御回路は、前記検出結果保存回路に保存された前記検出結果を参照することを特徴とする請求項１に記載の無線装置。
【請求項３】
前記検出回路は、前記受信信号が自己の無線システムの信号であることを確認し、
前記検出結果は、前記受信信号が自己の無線システムの信号であることの確認結果を含むことを特徴とする請求項２に記載の無線装置。
【発明の詳細な説明】
【技術分野】
【０００１】
本発明は、受信信号を受信する受信回路と、受信信号を処理する通信制御回路とを備えた無線装置に関し、特に消費電力を低減することができる無線装置に関するものである。
【背景技術】
【０００２】
受信信号を受信する受信回路と、受信信号を処理する通信制御回路とを備えた無線装置が用いられている。このような無線装置において、受信信号に自分宛て信号が無い場合に、主制御部（受信回路）の電源をオフにして消費電力を低減する技術が提案されている（例えば、特許文献１参照）。
【０００３】
【特許文献１】特開平７−２６４１１８号公報
【発明の開示】
【発明が解決しようとする課題】
【０００４】
図９は、無線装置の参考例を示す図である。この無線装置は、受信信号を受信する受信回路１０と、受信信号を処理する通信制御回路１２とを備える。なお、通信制御回路１２はソフトウェアを実行するマイコンにより構成され、受信回路１０はマイコンとは別のハードウェアにより構成される。
【０００５】
受信回路１０は、受信信号を復調データに復調する復調回路１４を有する。なお、受信信号は、受信側で同期を取るためのプリアンブル信号ＰＲ、受信側で通信路を確立するためのヘッダＡ，Ｂ、及びメインデータで構成される。特に、間欠受信時の受信信号のヘッダは、メインデータに自分宛て信号が有るか無いかの情報を含んでいる。
【０００６】
上記の無線装置の動作について、図１０のフローチャートを参照しながら説明する。
まず、復調回路１４は、受信信号を復調データに復調する（ステップＳ１０１）。
次に、復調回路１４は、復調データを通信制御回路１２へ転送する（ステップＳ１０２）。そして、通信制御回路１２は、ヘッダＡ，Ｂを処理する（ステップＳ１０３，Ｓ１０４）。
【０００７】
次に、通信制御回路１２は、ヘッダＡ，Ｂの復調データを解析して、受信信号に自分宛て信号が有るか無いかを検出する。そして、自分宛て信号が有る場合、通信制御回路１２は、メインデータを処理する（ステップＳ１０５）。一方、自分宛て信号が無い場合、受信回路１０の電源をＯＦＦし、通信制御回路１２は、自分自身にストップ命令を出しスタンバイ状態とし、一定期間待機状態に入る（ステップＳ１０６）。待機時間は、タイマー回路によって計られ、タイムアップすると通信制御回路１２に割り込み信号が供給され、通信制御回路がスタンバイ状態から起動する。
【０００８】
図１１は、図９の無線装置の受信回路と通信制御回路の動作を説明するための図である。送受信期間では、受信回路１０と通信制御回路１２の両方が動作し、メインデータの受信処理や送信を行う。一方、間欠受信期間では、受信回路１０と通信制御回路１２の両方が動作し、受信信号に自分宛て信号が有るか無いかを検出する。自分宛て信号が有る場合は、送受信期間に移行して送受信処理を行う。自分宛て信号が無い場合は、一定時間後に再び自分宛て信号が有るか無いかを検出する。
【０００９】
自分宛て信号の有無を検出する処理は複雑であるため、マイコンである通信制御回路１２がソフトウェアを実行することで当該処理が行われる。そして、一般に、間欠受信期間中において、受信信号に自分宛て信号が存在しない場合の方が多い。しかし、受信動作のたびに通信制御回路１２を起動させていたため、消費電力が大きかった。
【００１０】
また、特許文献１の無線装置は、受信信号に自分宛て信号が無い場合に、主制御部（受信回路）の電源をオフにするが、主通信制御回路（通信制御回路）は動作を続ける。マイコンである通信制御回路は受信回路に比べて消費電流が大きいため、特許文献１の無線装置ではあまり消費電力を低減できなかった。
【００１１】
本発明は、上述のような課題を解決するためになされたもので、その目的は消費電力を低減することができる無線装置を得るものである。
【課題を解決するための手段】
【００１２】
本発明に係る無線装置は、受信信号を受信する受信回路と、受信信号を処理する通信制御回路とを備え、通信制御回路は、ソフトウェアを実行するマイコンにより構成され、受信回路は、マイコンとは別のハードウェアにより構成され、受信回路は、受信信号を復調データに復調する復調回路と、復調データを解析して、受信信号に自分宛て信号が有るか無いかを検出する検出回路と、前記検出回路が前記復調データを解析している間から復調データを保存するデータ保存回路とを有し、自分宛て信号が有る場合、検出回路は、通信制御回路を起動させ、保存回路に保存された復調データを通信制御回路へ転送させ、自分宛て信号が無い場合、検出回路は、通信制御回路を起動させない。本発明のその他の特徴は以下に明らかにする。
【発明の効果】
【００１３】
本発明により、消費電力を低減することができる。
【発明を実施するための最良の形態】
【００１４】
実施の形態１．
図１は、実施の形態１に係る無線装置を示す図である。この無線装置は、受信信号を受信する受信回路１０と、受信信号を処理する通信制御回路１２とを備える。なお、通信制御回路１２はソフトウェアを実行するマイコンにより構成され、受信回路１０はマイコンとは別のハードウェアにより構成される。
【００１５】
受信回路１０は、復調回路１４、検出回路１６及びデータ保存回路１８を有する。復調回路１４は、受信信号を復調データに復調する。検出回路１６は、復調データを解析して、受信信号に自分宛て信号が有るか無いかを検出する。データ保存回路１８は、復調データを保存する。
【００１６】
図２は、実施の形態１に係る受信信号を示す概念図である。受信信号は、受信側で同期を取るためのプリアンブル信号ＰＲ、受信側で通信路を確立するためのヘッダＡ，Ｂ、及びメインデータで構成される。特に、間欠受信時の受信信号のヘッダには、メインデータに自分宛て信号が有るか無いかの情報が含まれている。
【００１７】
上記の無線装置の動作について、図３のフローチャートを参照しながら説明する。
まず、復調回路１４は、受信信号を復調データに復調する（ステップＳ１）。
次に、検出回路１６は、ヘッダＡ，Ｂの復調データを解析して、受信信号に自分宛て信号が有るか無いかを検出する（ステップＳ２）。データ保存回路１８は、検出回路１６が復調データを解析している間、復調データを保存する（ステップＳ３）。
【００１８】
自分宛て信号が有る場合、検出回路１６は、通信制御回路１２をスタンバイ状態から起動させ（ステップＳ４）、データ保存回路１８に保存された復調データを通信制御回路１２へ転送させる（ステップＳ５）。そして、通信制御回路１２は、ヘッダＡ，Ｂ及びメインデータを処理する（ステップＳ６〜Ｓ８）。
【００１９】
一方、自分宛て信号が無い場合、検出回路１６は通信制御回路１２をスタンバイ状態のままで起動させず、一定期間待機状態に入る（ステップＳ９）。データ保存回路１８に保存した復調データは廃棄されるか、次回上書きされる。
【００２０】
図４は、実施の形態１に係る無線装置の受信回路と通信制御回路の動作を説明するための図である。送受信期間では、受信回路１０と通信制御回路１２の両方が動作し、メインデータの受信処理や送信を行う。一方、間欠受信期間では、所定のタイミングで受信回路１０のみ動作し、受信信号に自分宛て信号が有るか無いかを検出する。自分宛て信号が有る場合は、送受信期間に移行して送受信処理を行う。自分宛て信号が無い場合は、一定時間後に再び受信信号に自分宛て信号が有るか無いかを検出する。
【００２１】
なお、通信制御回路１２をスタンバイ状態から起動させる場合、一般的には割り込み信号を通信制御回路１２に供給する。また、送受信期間から間欠受信期間に移行する場合、通信制御回路１２は自分自身に対してストップ命令を出してスタンバイ状態となり、受信回路１０の電源をＯＦＦにする。
【００２２】
以上説明したように、自分宛て信号の有無を検出する機能を受信回路１０に持たせ、自分宛て信号が有る場合にのみ通信制御回路１２を起動させるため、消費電力を低減することができる。また、本実施の形態を採用しても、通信制御回路１２の処理内容は、通常の仕様から大きく変更する必要がない。
【００２３】
実施の形態２．
図５は、実施の形態２に係る無線装置を示す図である。受信回路１０は、検出回路１６の検出結果を保存する検出結果保存回路２０を更に有する。その他の構成は実施の形態１の構成と同様である。
【００２４】
本実施の形態に係る無線装置の動作について、図６のフローチャートを参照しながら説明する。
まず、復調回路１４は、受信信号を復調データに復調する（ステップＳ１１）。
次に、検出回路１６は、ヘッダＡ，Ｂの復調データを解析して、受信信号に自分宛て信号が有るか無いかを検出する（ステップＳ１２）。データ保存回路１８は、検出回路１６が復調データを解析している間、復調データを保存する（ステップＳ１３）。検出結果保存回路２０は、検出回路１６の検出結果を保存する（ステップＳ１４）。
【００２５】
自分宛て信号が有る場合、検出回路１６は、通信制御回路１２をスタンバイ状態から起動させ（ステップＳ１５）、データ保存回路１８に保存された復調データを通信制御回路１２へ転送させる（ステップＳ１６）。そして、通信制御回路１２は、ヘッダＡ，Ｂを処理する（ステップＳ１７，Ｓ１８）。この際に、通信制御回路１２は、必要に応じて検出結果保存回路２０に保存された検出結果を参照する。さらに、通信制御回路１２は、メインデータを処理する（ステップＳ１９）。
【００２６】
一方、自分宛て信号が無い場合、検出回路１６は通信制御回路１２をスタンバイ状態のままで起動させず、一定期間待機状態に入る（ステップＳ２０）。データ保存回路１８に保存した復調データは廃棄されるか、次回上書きされる。
【００２７】
本実施の形態により、実施の形態１と同様の効果を得ることができる。また、一部のデータについて、従来は自分宛て信号が無い場合でも通信制御回路１２が処理していた。これに対し、本実施の形態では、検出回路１６の検出結果を検出結果保存回路２０で保存し、通信制御回路１２が起動した際に検出結果保存回路２０を参照して処理を行うことで、自分宛て信号が無い場合に通信制御回路１２を起動させたのと等価な処理を行うことができる。
【００２８】
実施の形態３．
図７は、実施の形態３に係る受信信号を示す概念図である。受信信号は、受信側で同期を取るためのプリアンブル信号ＰＲ、受信側で通信路を確立するためのヘッダであるＢＣＣＨ，ＦＣＣＨ、及びメインデータで構成される。ＢＣＣＨは、基地局からの報知用情報信号である。一般的に、無線装置は、まずＢＣＣＨを受信して本システムの信号であることを認識する。また、ＦＣＣＨは、周波数チャネルに関する情報信号であり、メインデータに自分宛て信号が有るか無いかや、メインデータのどこに自分宛て信号が存在するかといった情報を含んでいる。
【００２９】
本実施の形態に係る無線装置の動作について、図８のフローチャートを参照しながら説明する。なお、無線装置の構造は実施の形態２の構造と同様である。
まず、復調回路１４は、受信信号を復調データに復調する（ステップＳ２１）。
次に、検出回路１６は、ヘッダであるＢＣＣＨの復調データを解析して、ＢＣＣＨのＣＲＣチェックやＩＤチェックを行い、受信信号が当システムの信号であることを確認する（ステップＳ２２）。データ保存回路１８は、検出回路１６が復調データを解析している間、復調データを保存する（ステップＳ２３）。検出結果保存回路２０は、ＣＲＣチェックやＩＤチェックの結果を保存する（ステップＳ２４）。
【００３０】
次に、検出回路１６は、ヘッダであるＦＣＣＨの復調データを解析して、受信信号に自分宛て信号が有るか無いかを検出する（ステップＳ２５）。検出結果保存回路２０は、検出回路１６の検出結果を保存する（ステップＳ２４）。なお、ＢＣＣＨのＣＲＣチェックでＮＧになった場合も自分宛て信号が無いと判断される。
【００３１】
自分宛て信号が有る場合、検出回路１６は、通信制御回路１２をスタンバイ状態から起動させ（ステップＳ２６）、データ保存回路１８に保存された復調データを通信制御回路１２へ転送させる（ステップＳ２７）。そして、通信制御回路１２は、ＢＣＣＨ，ＦＣＣＨを処理する（ステップＳ２８，Ｓ２９）。この際に、通信制御回路１２は、必要に応じて検出結果保存回路２０に保存された検出結果を参照する。さらに、通信制御回路１２は、メインデータを処理する（ステップＳ３０）。
【００３２】
一方、自分宛て信号が無い場合、検出回路１６は通信制御回路１２をスタンバイ状態のままで起動させず、一定期間待機状態に入る（ステップＳ３１）。データ保存回路１８に保存した復調データは廃棄されるか、次回上書きされる。
【００３３】
本実施の形態により、実施の形態１と同様の効果を得ることができる。また、「ＣＲＣチェックがＮＧ」などの一部のデータについて、従来は自分宛て信号が無い場合でも通信制御回路１２が処理していた。これに対し、本実施の形態では、検出回路１６の検出結果を検出結果保存回路２０で保存し、通信制御回路１２が起動した際に検出結果保存回路２０を参照することで、自分宛て信号が無い場合に通信制御回路１２を起動させたのと等価な処理を行うことができる。
【図面の簡単な説明】
【００３４】
【図１】実施の形態１に係る無線装置を示す図である。
【図２】実施の形態１に係る受信信号を示す概念図である。
【図３】実施の形態１に係る無線装置の動作を説明するためのフローチャートである。
【図４】実施の形態１に係る無線装置の受信回路と通信制御回路の動作を説明するための図である。
【図５】実施の形態２に係る無線装置を示す図である。
【図６】実施の形態２に係る無線装置の動作を説明するためのフローチャートである。
【図７】実施の形態３に係る受信信号を示す概念図である。
【図８】実施の形態３に係る無線装置の動作を説明するためのフローチャートである。
【図９】無線装置の参考例を示す図である。
【図１０】図９の無線装置の動作を説明するためのフローチャートである。
【図１１】図９の無線装置の受信回路と通信制御回路の動作を説明するための図である。
【符号の説明】
【００３５】
１０  受信回路
１２  通信制御回路
１４  復調回路
１６  検出回路
１８  データ保存回路
２０  検出結果保存回路
【図１】
0004673902.tif 000002
【図２】
0004673902.tif 000003
【図３】
0004673902.tif 000004
【図４】
0004673902.tif 000005
【図５】
0004673902.tif 000006
【図６】
0004673902.tif 000007
【図７】
0004673902.tif 000008
【図８】
0004673902.tif 000009
【図９】
0004673902.tif 000010
【図１０】
0004673902.tif 000011
【図１１】
0004673902.tif 000012